【事件の表示】
　特許第３２９４５２７号「クリーンルームに使用されるＤＣモーターファン搭載ファンフィルタユニット」の請求項１ないし３に係る特許に対する特許異議の申立てについて、次のとおり決定する。
【結　論】
　訂正を認める。
　特許第３２９４５２７号の請求項１ないし３に係る特許を維持する。
【理　由】
第１．手続の経緯
  特許出願                      　　　　　平成　９年　３月２１日
  特許権設定登録              　　　　　　平成１４年　４月　５日
  特許異議申立(申立人：上滝ゆり　請求項１〜３に係る特許に対して)
                                　　　　　平成１４年１２月２０日
  特許異議申立(申立人：吉田春男　請求項１〜３に係る特許に対して)
                                　　　　　平成１４年１２月１９日
  特許異議申立(申立人：伊藤廣美　請求項１〜２に係る特許に対して)
                                　　　　　平成１４年１２月２４日
  取消理由通知                  　　　　　平成１５年　３月２８日
  訂正請求                      　　　　　平成１５年　５月２８日
　　　　　　　　　　　　　　　　　　　　　　　　　　　　　　　　　
第２．訂正の適否についての判断
１．訂正の内容
  別紙「訂正の内容」参照。
　　　　　　　　　　　　　　　　　　　　　　　　　　　　　　　　　
２．訂正の目的の適否、新規事項の有無及び拡張・変更の存否
(１)訂正事項ｂ中、【請求項１】についての訂正
　上記訂正は、「DCモーターファン搭載ファンフィルタユニット」を、「クリーンルームに使用される」ものであることに限定するとともに、「回転数指示ボリュームを操作し前記フィルタ下流側の風速を調整し、DCーDCコンバーター部のフィードバック制御により、(・・・一定の風速を維持する)」との構成要件を付加する訂正を求めるものである。そして、上記訂正事項は、願書に添付した明細書の段落【０００１】および【００１８】〜【００２０】に記載されているものと認められる。
　したがって、上記訂正は、願書に添付した明細書又は図面に記載された事項の範囲内において、特許請求の範囲の減縮を目的とするものであって、新規事項の追加に該当せず、実質的に特許請求の範囲を拡張又は変更するものではない。
　　　　　　　　　　　　　　　　　　　　　　　　　　　　　　　　　
(２)訂正事項ｂ中、【請求項２】についての訂正
　上記訂正の第１は、「DCモーターファン搭載ファンフィルタユニット」を、「クリーンルームに使用される」ものであることに限定するとともに、「(回転数の微調整をして)フィルタ下流側の風速を調整しDCーDCコンバーター部のフィードバック制御により、(・・・一定の風速を維持する)」との構成要件と「DCモーターファンのローターの位置を検出するローター位置検出部と、該ローター位置検出部からの信号をローター位置判定処理部を介して脱調状態であるかどうかを判定する処理・判定・制御部を備え、脱調状態の場合に異常信号を出力する異常判断出力処理部を備え」るとの構成要件を付加する訂正を求めるものである。そして、上記訂正事項は、願書に添付した明細書の段落【０００１】および【００１８】〜【００２１】に記載されているものと認められる。
　したがって、上記訂正は、願書に添付した明細書又は図面に記載された事項の範囲内において、特許請求の範囲の減縮を目的とするものであって、新規事項の追加に該当せず、実質的に特許請求の範囲を拡張又は変更するものではない。
　上記訂正の第２は、「ACーDCコンバータ部」，「DCーDCコンバータ部」，「風速制御ボリューム」を、それぞれ、「ACーDCコンバーター部」，「DCーDCコンバーター部」，「回転数指示ボリューム」と訂正することを求めるものである。そして、上記訂正事項は、願書に添付した明細書の段落【０００１】および【００１８】〜【００２０】に記載されているものと認められる。
　したがって、上記訂正は、願書に添付した明細書又は図面に記載された事項の範囲内において、誤記の訂正を目的とするものであって、新規事項の追加に該当せず、実質的に特許請求の範囲を拡張又は変更するものではない。
　　　　　　　　　　　　　　　　　　　　　　　　　　　　　　　　　
(３)訂正事項ｂ中、【請求項３】についての訂正
　上記訂正は、「DCモーターファン搭載ファンフィルタユニット」を、「クリーンルームに使用される」ものであることに限定する訂正を求めるものである。そして、上記訂正事項は、願書に添付した明細書の段落【０００１】に記載されているものと認められる。
　したがって、上記訂正は、願書に添付した明細書又は図面に記載された事項の範囲内において、特許請求の範囲の減縮を目的とするものであって、新規事項の追加に該当せず、実質的に特許請求の範囲を拡張又は変更するものではない。
  　　　　　　　　　　　　　　　　　　　　　　　　　　　　　　　　　
(４)訂正事項ａ，ｃ〜ｐについての訂正
　訂正事項ａ，ｃ〜ｐについての訂正は、いずれも、願書に(最初に)添付した明細書又は図面に記載された事項の範囲内において、誤記の訂正或いは明りょうでない記載の釈明を目的とするものであって、新規事項の追加に該当せず、実質的に特許請求の範囲を拡張又は変更するものではない。
　　　　　　　　　　　　　　　　　　　　　　　　　　　　　　　　　
３．むすび
  したがって、上記訂正は、特許法第１２０条の４第２項、及び同上第３項において準用する特許法第１２６条第２項，第３項の規定に適合するので、当該訂正を認める。
　　　　　　　　　　　　　　　　　　　　　　　　　　　　　　　　　
第３．特許異議の申立て(特許法第２９条第２項違反)についての判断
１．本件発明
　上記第２．訂正の適否についての判断で示したように上記訂正が認められるから、本件特許の請求項１ないし３に係る発明(以下それぞれ、「本件発明１ないし３」という。)は、訂正された特許明細書に記載された事項により特定される次のとおりのものである。
　　　　　　　　　　　　　　　　　　　　　　　　　　　　　　　　　
「　【請求項１】交流電源を用いて、直流のDCモーターファンを駆動させるための、クリーンルームに使用されるDCモーターファン搭載ファンフィルタユニットであって、このクリーンルームに使用されるDCモーターファン搭載ファンフィルタユニットは、交流電源を直流電源に変換する整流回路および制御回路を備えたDC基板と、該DC基板に接続された直流用のDCモーターファンと、フィル夕とを備えて構成され、回転数指示ボリュームを操作し前記フィルタ下流側の風速を調整し、DCーDCコンバーター部のフィードバック制御により、風速の調整後は電圧の変動および周波数の変動があっても一定の風速を維持するようにしたことを特徴とするクリーンルームに使用されるDCモーターファン搭載ファンフィルタユニット。
　　【請求項２】送風機能を持ち高性能なフィルタを介して除塵を行うクリーンルームに使用されるDCモーターファン搭載ファンフィルタユニットであって、交流電源を整流して直流電源に変換するためのACーDCコンバーター部と、前記ACーDCコンバーター部からの出力を受けてスイッチング電源として機能するDCーDCコンバーター部と、インバーター駆動回路を伴い３相電圧を発生する３相電圧発生部とを順次接続し、同期式電動機を備えたDCモーターファンを駆動させると共に、前記DCーDCコンバーター部からの出力信号にフィードバックをかけるモーター用直流電圧・直流電流監視制御部と、処理・判定・制御部と目標回転数指示部を介し前記DCーDCコンバーター部に出力指示を与える回転数指示ボリュームとを備え、且つ該回転数指示ボリュームを操作、回転数の微調整をしてフィルタ下流側の風速を調整しDCーDCコンバーター部のフィードバック制御により、風速の調整後は電圧の変動および周波数の変動があっても一定の風速を維持するようにする一方、DCモーターファンのローターの位置を検出すローター位置検出部と、該ローター位置検出部からの信号をローター位置判定処理部を介して脱調伏態であるかどうかを判定する処理・判定・制御部を備え、脱調状態の場合に異常信号を出力する異常判断出力処理部を備えたことを特徴とするクリーンルームに使用されるDCモーターファン搭載ファンフィルタユニット。
　　【請求項３】複数のDCモーターファンと、前記DCモーターファンと同数の独立したDC基板を単一の本体に設けた請求項１または２のいずれかに記載のクリーンルームに使用されるDCモーターファン搭載ファンフィルタユニット。」
　　　　　　　　　　　　　　　　　　　　　　　　　　　　　　　　　
２．取消理由で引用された刊行物に記載された発明
  取消理由で引用された刊行物である特許異議申立人上滝ゆりが証拠として提出した刊行物１ないし３には、それぞれ、以下のような発明が記載されている。
　　　　　　　　　　　　　　　　　　　　　　　　　　　　　　　　　
(１)刊行物１：特開平６−５８６０５号公報(甲第１号証）には、
「　【請求項１】　少なくとも室内機と室外機で構成され、冷凍サイクルを構成する室内熱交換器によって得られる空気を室内に吹出す室内機送風機の直流ブラシレスモータと、該直流ブラシレスモータを駆動するスイッチング回路と、入力商用電源を入力し、スイッチングにより可変直流電圧を得、この可変直流電圧を前記スイッチング回路に供給するスイッチング電源からなる電源回路と、前記直流ブラシレスモータの回転子の位置を検出する位置検出手段とを備え、前記位置検出手段による位置情報に基づいて前記スイッチング回路の各スイッチング素子を所定タイミングでＯＮ，ＯＦＦし、前記直流ブラシレスモータが目標回転数となるように前記室内機送風機の回転数情報に基づいて前記電源回路におけるスイッチングのデューティ比を可変制御し、前記スイッチング回路に供給する電圧レベルを可変して同直流ブラシレスモータの回転数を制御する空気調和機であって、
　前記位置検出手段による位置情報に基づいて前記各スイッチング素子を駆動する信号を出力するとともに、前記位置情報により前記直流ブラシレスモータの回転数を算出し、かつ当該空気調和機の制御に際して少なくとも前記室内機送風機の回転数情報を得、かつ、前記位置情報によって得た回転数と前記回転数情報との比較に応じて前記電源回路におけるスイッチングのデューティ比を可変するチョッピング信号を出力し、前記スイッチング回路に供給する電圧レベルを可変して前記直流ブラシレスモータの回転数を制御し、かつ少なくとも当該室内機を制御するために必要な入出力機能を有し、当該室内機を制御するマイクロコンピュータを備え、１つのマイクロコンピュータによって当該室内機を制御可能としたことを特徴とする空気調和機の制御方法。」(特許請求の範囲)
が記載されている。
　　　　　　　　　　　　　　　　　　　　　　　　　　　　　　　　　　
(２)刊行物２：特開平６−２８１２３８号公報(甲第２号証）には、
「　【請求項１】　温度調節用エアコンの下流にファン付きエアフィルターユニットをダクト接続し、部屋の空気を上記温度調節用エアコンに取り入れ、温度調節し、上記ダクトを通して、上記ファン付きエアフィルターユニットで清浄化した後、上記部屋に吹き出す空気調和機において、上記ダクト内の上記温度調節用エアコンの出口空気圧力が所定の正圧値以下になったとき上記ファン付きエアフィルターユニットのファンモーターの運転を停止せしめる圧力検知制御手段を設けたことを特徴とするクリーンルーム用空気調和機。
　　【請求項２】　温度調節用エアコンの下流にファン付きエアフィルターユニットをダクト接続し、部屋の空気を上記温度調節用エアコンに取り入れ、温度調節し、上記ダクトを通して上記ファン付きエアフィルターユニットで清浄化した後、上記部屋に吹き出す空気調和機において、上記温度調節用エアコンの出口空気圧力を検出する圧力センサを設け、この出口空気圧力が所定の圧力範囲となるように、少なくとも、上記ファン付きエアフィルターユニットの入口部に設けられた風路抵抗調整ダンパの開度調節を行うダンパ制御手段または、上記ファン付きエアフィルターユニットのファンの回転速度の調節を行うファン制御手段のどちらか一方を設けたことを特徴とするクリーンルーム用空気調和機。
　　【請求項３】　温度調節用エアコンの下流にファン付きエアフィルターユニットをダクト接続し、部屋の空気を上記温度調節用エアコンに取り入れ、温度調節し、上記ダクトを通して、上記ファン付きエアフィルターユニットで清浄化した後、上記部屋に吹き出す空気調和機において、上記ダクト内で上記温度調節エアコンと上記ファン付きエアフィルターユニット間に設けた風路抵抗調整ダンパ下流に室内空気吸込みダクトとの合流部を設け、上記温度調節用エアコン出口空気圧力を検出する第一の圧力センサと、上記合流部の空気圧力を検出する第二の圧力センサを設け、第二の圧力センサが検出する上記合流部圧力が所定の圧力範囲となり、第一の圧力センサが検出する上記温度調節用エアコン出口空気圧力が所定のより高い圧力範囲となるように、少なくとも上記風路抵抗調整ダンパの開度調節を行うダンパ制御手段または、ファン付きエアフィルターユニットのファンの回転速度の調節を行うファン制御手段のどちらか一方を設けたことを特徴とするクリーンルーム用空気調和機。」(特許請求の範囲)
が記載されている。
　　　　　　　　　　　　　　　　　　　　　　　　　　　　　　　　　
（３）刊行物３：特開平８−４２８８５号公報(甲第３号証)には、
「　【請求項１】　吸込口と吹出し口を有し、モータによって駆動されるファンの作用により、前記吸込口から吸い込まれた空気をフィルタを介して前記吹出し口から供給する如く構成されたファンフィルタユニットにおいて、
　このファンフィルタユニットを操作するための操作端末機を備えると共に、前記モータはインバータを介した三相電源で駆動される構成を有し、この三相電源とは異なった系統の操作電源によって前記操作端末機が作動する如く構成されたことを特徴とする、ファンフィルタユニット。」(特許請求の範囲)
が記載されている。
　　　　　　　　　　　　　　　　　　　　　　　　　　　　　　　　　
３．対比・判断
(１)本件発明１の特許について
　本件発明１と上記刊行物１ないし３に記載された各発明とを対比すると、前記各刊行物に記載された発明は、本件発明１を特定する事項である、「回転数指示ボリュームを操作し前記フィルタ下流側の風速を調整し、DCーDCコンバーター部のフィードバック制御により、風速の調整後は電圧の変動および周波数の変動があっても一定の風速を維持するようにした」構成を備えておらず、当該事項により本件発明１は、訂正された特許明細書に記載された効果を奏するものであり、本件発明１が上記刊行物１ないし３に記載された各発明に基づいて当業者が容易に発明することができたものとはいえない。
　　　　　　　　　　　　　　　　　　　　　　　　　　　　　　　　　
(２)本件発明２の特許について
　本件発明２と上記刊行物１ないし３に記載された各発明とを対比すると、前記各刊行物に記載された発明は、本件発明２を特定する事項である、「回転数指示ボリュームを操作、回転数の微調整をしてフィルタ下流側の風速を調整しDCーDCコンバーター部のフィードバック制御により、風速の調整後は電圧の変動および周波数の変動があっても一定の風速を維持するように」した構成、及び、「DCモーターファンのローターの位置を検出するローター位置検出部と、該ローター位置検出部からの信号をローター位置判定処理部を介して脱調伏態であるかどうかを判定する処理・判定・制御部を備え、脱調状態の場合に異常信号を出力する異常判断出力処理部を備えた」構成を有しておらず、当該事項により本件発明２は、訂正された特許明細書に記載された効果を奏するものであり、本件発明２が上記刊行物１ないし３に記載された各発明に基づいて当業者が容易に発明することができたものとはいえない。
　　　　　　　　　　　　　　　　　　　　　　　　　　　　　　　　　
(３)本件発明３の特許について
　本件発明３と上記刊行物１ないし３に記載された各発明とを対比すると、請求項３が請求項１または２を引用するものであるから、本願発明３も、上記本願発明１または２の構成の一部と共通の構成を備えているものとなる。
　したがって、上記(１)または(２)と同じ理由により、本願発明３は、刊行物１ないし３に記載された各発明に基づいて当業者が容易に発明をすることができたものとはいえない。
　　　　　　　　　　　　　　　　　　　　　　　　　　　　　　　　　
第４．特許異議の申立て(特許法第３６条第４項及び第６項違反)についての判断
　上記第２．訂正の適否についての判断で示したように上記訂正が認められるから、
(１)本件発明１および本件発明２の「一定の風速を維持する」構成
(２)本件発明２の「ＤＣ−ＤＣコンバータ部」の構成
(３)本件発明の構成と効果との不一致
のそれぞれについて、特許法第３６条第４項及び第６項に規定する要件を満たしていないという取消理由は解消したものと認める。
　　　　　　　　　　　　　　　　　　　　　　　　　　　　　　　　　
第５．むすび
  以上のとおりであるから、特許異議申立の理由及び証拠によっては、本件発明１ないし３の特許を取り消すことはできない。
　また、その他の異議申立理由によっては、本件発明１ないし３の特許を取り消すことはできない。
　よって、結論のとおり決定する。
【異議決定日】
平成１５年６月１９日（２００３．６．１９）
【訂正の要旨】
　ａ．明細書中、発明の名称を下記のように訂正する。
　　　記
　【発明の名称】　　
クリーンルームに使用される
　ｂ．明細書中、特許請求の範囲を下記のように訂正する。
　　　記
　【特許請求の範囲】
　【請求項１】交流電源を用いて、直流のＤＣモーターファンを駆動させるための、
クリーンルームに使用される
クリーンルームに使用される
て構成され、回転数指示ボリュームを操作し前記フィルタ下流側の風速を調整し、ＤＣ―ＤＣコンバーター部のフィードバック制御により、
クリーンルームに使用される
　【請求項２】送風機能を持ち高性能なフィルタを介して除塵を行う
クリーンルームに使用されるＤＣモーターファン搭載
ー
ー
ー
ー
ー
回転数指示
且つ該回転数指示ボリュームを操作し、
をしてフィルタ下流側の風速を調整しＤＣ―ＤＣコンバーター部のフィードバック制御により、
する一方、ＤＣモーターファンのローターの位置を検出するローター位置検出部と、該ローター位置検出部からの信号をローター位置判定処理部を介して脱調状態であるかどうかを判定する処理・判定・制御部を備え、脱調状態の場合に異常信号を出力する異常判断出力処理部を備え
クリーンルームに使用される
　【請求項３】複数のＤＣモーターファンと、前記ＤＣモーターファンと同数の独立したＤＣ基板を単一の本体に設けた請求項１または２のいずれかに記載の
クリーンルームに使用される
　ｃ．明細書中、段落【０００１】を下記のように訂正する。
　　　記
　【０００１】
　【産業上の利用分野】本発明は、製薬工場、精密電子機器工場等のクリーンルームに使用されるＨＥＰＡ・ＵＬＰＡ等の高性能フィルターを装着し送風機能を有したファンフィルタユニットに関し、特に交流電源を直流電源に変換して、ＤＣモーターファンを駆動させる
と共に、風速の調整後は電圧の変動および周波数の変動があっても一定の風速を維持するようにしたクリーンルームに使用される
　ｄ．明細書中、段落【０００２】を下記のように訂正する。
　　　記
　【０００２】
　【従来の技術】従来この種の
クリーンルームに使用される
クリーンルームに使用される
　ｅ．明細書中、段落【０００３】を下記のように訂正する。
　　　記
　【０００３】また、交流インバータ
ー
　ｆ．明細書中、段落【０００４】を下記のように訂正する。
　　　記
　【０００４】
　【発明が解決しようとする課題】しかしながら、前者の商用周波数の交流電源をそのまま誘導電動機に適用する
クリーンルームに使用される
回転数指示
　ｇ．明細書中、段落【０００７】を下記のように訂正する。
　　　記
　【０００７】たとえ、上記したように設置現場においてモーター自体の交換はなくとも、前記
クリーンルームに使用される
　ｈ．明細書中、段落【０００９】を下記のように訂正する。
　　　記
　【０００９】更に、両者とも交流用モーターファンを使用している関係上、ヒューズやサーマルカットオフ等を用いて温度変化を検出することで二次的に異常を検出しているため、多くの場合、実際の異常発生から異常検出までに長時間のタイムラグを生じ、その間の精密
生
　ｉ．明細書中、段落【００１１】を下記のように訂正する。
　　　記
　【００１１】本発明は前記従来の課題を解決し、容易に送風量を正確、且つ一定に制御できると共に、速やかな異常検出ができる
クリーンルームに使用される
　ｊ．明細書中、段落【００１２】を下記のように訂正する。
　　　記
　【００１２】
　【課題を解決するための手段】本発明は、交流電源を用いて、直流のＤＣモーターファンを駆動させるための、
クリーンルームに使用される
クリーンルームに使用される
て構成され、回転数指示ボリュームを操作し前記フィルタ下流側の風速を調整し、ＤＣ―ＤＣコンバーター部のフィードバック制御により、
クリーンルームに使用されるＤＣモーターファン搭載
ー
ー
ー
ー
回転数指示
且つ該回転数指示ボリュームを操作し、
をしてフィルタ下流側の風速を調整し、ＤＣ―ＤＣコンバーター部のフィードバック制御により、
する一方、ＤＣモーターファンのローターの位置を検出するローター位置検出部と、該ローター位置検出部からの信号をローター位置判定処理部を介して脱調状態であるかどうかを判定する処理・判定・制御部を備え、脱調状態の場合に異常信号を出力する異常判断出力処理部を備えたものである。
で、且つ
クリーンルームに使用される
　ｋ．明細書中、段落【００１３】を下記のように訂正する。
　　　記
　【００１３】
　【発明の実施の形態】本発明の実施の形態を図面に基づいて詳細に説明する。図１は、本発明
クリーンルームに使用されるＤＣモーターファン搭載
　ｌ．明細書中、段落【００１４】を下記のように訂正する。
　　　記
　【００１４】図１における制御パネル２には次の装置が備えられている。すなわち、電源投入用のファン運転用スイッチであるメインスイッチ２ａと、ファン運転を制御すると共に、ファンフィルタユニットの風量
（風速に吹出し面積を乗じたものに相当）
回転数指示
　ｍ．明細書中、段落【００１８】を下記のように訂正する。
　　　記
　【００１８】次に、ＣＰＵ１９は、中央演算装置であり、該装置はモーター用直流電圧・直流電流監視制御部２０、ＡＣ電源停電監視部２１、モーター用直流電圧の可変制御出力部２２、インバーター駆動制御出力部２３、ローター位置判定処理部２４、目標回転数指示部２５、異常判断出力処理部２６および処理・判定・制御部２７を内蔵し、これら相互並びに外部との信号の授受で、信号情報の処理・判定・制御を行う。ローター位置検出部２８は、前記ＤＣモーターファン６のローターの位置を検出し、ＣＰＵ１９に信号を送る。異常接点出力回路部２９はリレーで構成され、前記異常判断出力処理部２６からの信号でリレーの接点を閉じ、コネクタＣＮを介して異常信号を出力する。運転ランプ２ｃは入力交流電源がＯＮのときは点灯表示し、ＯＦＦのときは滅火表示する。回転数指示ボリューム２ｂは、該ボリューム２ｂを操作して、ＤＣモーターファン６の所要回転数を指定
して風量調整を行う
　ｎ．明細書中、段落【００２０】を下記のように訂正する。
　　　記
　【００２０】従って、フィルタ７下流で風速を確認しながら、回転数指示ボリューム２ｂの調整を行うことにより、希望する風速を微調整しながら厳密に得ることができる。なお、風速の調整が終了した後は、
ＤＣ―ＤＣコンバーター部１５のフィードバック制御により、
　ｏ．明細書中、段落【００２５】を下記のように訂正する。
　　　記
　【００２５】
　【発明の効果】本発明は上述のように、交流電源を直流電源に変換する整流回路および制御回路を備えたＤＣ基板と、該ＤＣ基板に接続された直流用のＤＣモーターファンを備え、
回転数指示ボリュームを操作し、フィルタ下流側の風速を調整し、ＤＣ―ＤＣコンバーター部のフィードバック制御により、風速の調整後は電圧の変動および周波数の変動があっても一定の風速を維持することができる。また、
クリーンルームに使用されるＤＣモーターファン搭載ファンフィルタユニットとして最適である
　ｐ．明細書中、図面の簡単な説明を下記のように訂正する。
　　　記
【図面の簡単な説明】
　【図１】本発明
クリーンルームに使用される
　【図２】本発明
クリーンルームに使用される
　【図３】本発明
クリーンルームに使用される
　【符号の説明】
　２ｂ　
回転数指示
（５４）【発明の名称】
クリーンルームに使用される
（５７）【特許請求の範囲】
　【請求項１】交流電源を用いて、直流のＤＣモーターファンを駆動させるための、
クリーンルームに使用される
クリーンルームに使用される
て構成され、回転数指示ボリュームを操作し前記フィルタ下流側の風速を調整し、ＤＣ―ＤＣコンバーター部のフィードバック制御により、
クリーンルームに使用される
　【請求項２】送風機能を持ち高性能なフィルタを介して除塵を行う
クリーンルームに使用されるＤＣモーターファン搭載
ー
ー
ー
ー
ー
回転数指示
且つ該回転数指示ボリュームを操作し、
をしてフィルタ下流側の風速を調整しＤＣ―ＤＣコンバーター部のフィードバック制御により、
する一方、ＤＣモーターファンのローターの位置を検出するローター位置検出部と、該ローター位置検出部からの信号をローター位置判定処理部を介して脱調状態であるかどうかを判定する処理・判定・制御部を備え、脱調状態の場合に異常信号を出力する異常判断出力処理部を備え
クリーンルームに使用される
　【請求項３】複数のＤＣモーターファンと、前記ＤＣモーターファンと同数の独立したＤＣ基板を単一の本体に設けた請求項１または２のいずれかに記載の
クリーンルームに使用される
【発明の詳細な説明】
　【０００１】
　【産業上の利用分野】本発明は、製薬工場、精密電子機器工場等のクリーンルームに使用されるＨＥＰＡ・ＵＬＰＡ等の高性能フィルターを装着し送風機能を有したファンフィルタユニットに関し、特に交流電源を直流電源に変換して、ＤＣモーターファンを駆動させる
と共に、風速の調整後は電圧の変動および周波数の変動があっても一定の風速を維持するようにしたクリーンルームに使用される
　【０００２】
　【従来の技術】従来この種の
クリーンルームに使用される
クリーンルームに使用される
　【０００３】また、交流インバータ
ー
　【０００４】
　【発明が解決しようとする課題】しかしながら、前者の商用周波数の交流電源をそのまま誘導電動機に適用する
クリーンルームに使用される
回転数指示
　【０００５】すなわち、従来一般に使用されている誘導電動機のモーターファンでは、フィルタ以外の抵抗の有無、例えば余剰静圧で１０ｍｍＡｑ（おおよそ０．１ｋｐａ）が有るときと、無いときでは、抵抗が有ると制御が可能（スピードコントローラーの制御範囲内の場合）であるが、抵抗が無いと送風量を減らすことができず、逆に抵抗が有り過ぎると送風量が不足することがあるという課題があった。
　【０００６】また、クリーンルームの風路構成においては、厳密な風速の制御が不可欠であるが、クリーンルーム内には様々な生産機械が存在し、それら生産機械の配置如何で風路抵抗の変化は極めて日常的な頻度で設置現場において発生する。例えば、クリーンルーム内部の生産機械を動かしただけでも風路抵抗は変化し、また場所によっては通常のＨＥＰＡフィルターのみならず化学吸着フィルターも付加装着する必要があり、その都度大がかりな風速の計測を行う変更を余儀なくされるばかりか、誘導電動機を使用したモーターファンでは制御幅が少ないため、場合によってはモーター自体の変更を伴うこともあった。
　【０００７】たとえ、上記したように設置現場においてモーター自体の交換はなくとも、
前記クリーンルームに使用される
　【０００８】また、後者の交流インバーター制御のモーターファンの場合においても、交流の周波数変換で回転数を制御している関係上、上記同様、使用しているのは誘導電動機であり、精緻な回転数制御には無理があり、おおよその回転数制御しか望み得なかった。
　【０００９】更に、両者とも交流用モーターファンを使用している関係上、ヒューズやサーマルカットオフ等を用いて温度変化を検出することで二次的に異常を検出しているため、多くの場合、実際の異常発生から異常検出までに長時間のタイムラグを生じ、その間の精密
生
　【００１０】特に単一の本体に複数のモーターファンが連なって装着された場合、異常を来しているモーター周囲にも他のモーターファンが作り出す気流が流れ、温度変化が緩和されるため、長時間に亘り異常検出がなされないという課題があった。従って、異常検出までのタイムラグがほとんどない異常検出手段を備えることが要求されている。
　【００１１】本発明は前記従来の課題を解決し、容易に送風量を正確、且つ一定に制御できると共に、速やかな異常検出ができる
クリーンルームに使用される
　【００１２】
　【課題を解決するための手段】本発明は、交流電源を用いて、直流のＤＣモーターファンを駆動させるための、
クリーンルームに使用される
クリーンルームに使用される
て構成され、回転数指示ボリュームを操作し前記フィルタ下流側の風速を調整し、ＤＣ―ＤＣコンバーター部のフィードバック制御により、
クリーンルームに使用されるＤＣモーターファン搭載
ー
ー
ー
ー
ー
回転数指示
且つ該回転数指示ボリュームを操作し、
をしてフィルタ下流側の風速を調整し、ＤＣ―ＤＣコンバーター部のフィードバック制御により、
する一方、ＤＣモーターファンのローターの位置を検出するローター位置検出部と、該ローター位置検出部からの信号をローター位置判定処理部を介して脱調状態であるかどうかを判定する処理・判定・制御部を備え、脱調状態の場合に異常信号を出力する異常判断出力処理部を備えたものである。
で、且つ
クリーンルームに使用される
　【００１３】
　【発明の実施の形態】本発明の実施の形態を図面に基づいて詳細に説明する。図１は、本発明
クリーンルームに使用されるＤＣモーターファン搭載
　【００１４】図１における制御パネル２には次の装置が備えられている。すなわち、電源投入用のファン運転用スイッチであるメインスイッチ２ａと、ファン運転を制御すると共に、ファンフィルタユニットの風量
（風速に吹出し面積を乗じたものに相当）
回転数指示
　【００１５】図２は、前記ＤＣ基板５に備えられた整流回路および制御回路の回路構成ブロック図であり、該ＤＣ基板５には、先ず回路保護部１１が設けられているが、該回路保護部１１はヒューズとサージアブソーバとで構成され、入力の交流電源９側からの異常電圧・異常電流の流入を防ぎ、機器の保護を行うようになっている。次に、電源高調波電流抑制回路部１２は、リアクターを備え、電源入力側から流入する無用な高調波電流部分を抑制する。ノイズフィルター部１３は、電気的ノイズを濾過するフィルターであり、コンデンサー、コイルなどで構成され、外来ノイズや発生ノイズを阻止し、バイパスさせて有害無用なノイズの低減を図っている。このノイズフィルター部１３は、外周を別途、安全アース１０に接続することによって、一層の電気的安全性と電位の安定性を図っている。
　【００１６】ＡＣ―ＤＣコンバーター部１４は、整流器とコンデンサーで構成され、前記ノイズフィルター部１３を経てきた交流を整流し、且つ平滑にして平滑直流電圧の生成を行う。なお、図３にて示すように、略２００Ｖ（１８０〜２４０Ｖ）仕様のＡＣ―ＤＣコンバーター部１４ａは、ダイオードブリッジにて全波整流を行う構成とし、略１００Ｖ（１００〜１２０Ｖ）仕様のＡＣ―ＤＣコンバーター部１４ｂは同図に示すような、上記一部のダイオードをバイパスした回路構成とすることによる半波整流を行う。こうしてＡＣ―ＤＣコンバーター部１４で交流を直流に変換することにより、周波数の影響がなくなるので、地域による周波数の相違や、商用電源につきものの周波数の変動などの不都合から解放されることになる。更に、ＡＣ―ＤＣコンバーター部１４を全波整流するか半波整流するかで、対応可能な商用電源を選定できるため、生産品の種類の集約も図ることができるのである。
　【００１７】そして次に、ＤＣ―ＤＣコンバーター部１５は、トランジスター、トランス、コンデンサーなどから成るスイッチング電源により、可変直流電圧の出力を行う（０〜４５Ｖの低い電圧のＤＣ）と共に、１次−２次間の絶縁や過電流の検出をも行う。また、３相電圧生成部１６は、トランジスターとダイオードとで構成されたインバーター部が、前記ＤＣ―ＤＣコンバーター部１５からの直流入力とインバーター駆動回路１７からの駆動信号とにより３相電圧を生成し、ＤＣモーターファン６を駆動する。更に、ＡＣ―ＤＣコンバーター部１８は、商用電源トランスで構成され、商用電源を入力として、マイコン等に必要な低圧回路直流電圧の生成（１３Ｖ、５Ｖ）を行う。
　【００１８】次に、ＣＰＵ１９は、中央演算装置であり、該装置はモーター用直流電圧・直流電流監視制御部２０、ＡＣ電源停電監視部２１、モーター用直流電圧の可変制御出力部２２、インバーター駆動制御出力部２３、ローター位置判定処理部２４、目標回転数指示部２５、異常判断出力処理部２６および処理・判定・制御部２７を内蔵し、これら相互並びに外部との信号の授受で、信号情報の処理・判定・制御を行う。ローター位置検出部２８は、前記ＤＣモーターファン６のローターの位置を検出し、ＣＰＵ１９に信号を送る。異常接点出力回路部２９はリレーで構成され、前記異常判断出力処理部２６からの信号でリレーの接点を閉じ、コネクタＣＮを介して異常信号を出力する。運転ランプ２ｃは入力交流電源がＯＮのときは点灯表示し、ＯＦＦのときは滅火表示する。回転数指示ボリューム２ｂは、該ボリューム２ｂを操作して、ＤＣモーターファン６の所要回転数を指定
して風量調整を行う
　【００１９】次に、前記構成より成る本発明装置の操作について説明すると、先ず、ＡＣ電源９のメインスイッチ（図示せず）をＯＮにすることにより、運転ランプ２ｃが点灯表示され、交流はコンバーター部などで直流に変換されてＤＣモーターファン６は運転を開始する。なお、このＤＣモーターファン６の回転はＤＣ―ＤＣコンバーター部１５からＣＰＵ１９内のモーター用直流電圧・直流電流監視制御部２０を介してフィードバックがかかるため、極めて安定した回転数を維持できる。
　【００２０】従って、フィルタ７下流で風速を確認しながら、回転数指示ボリューム２ｂの調整を行うことにより、希望する風速を微調整しながら厳密に得ることができる。なお、風速の調整が終了した後は、
ＤＣ―ＤＣコンバーター部１５のフィードバック制御により、
　【００２１】一方、ローター位置検出部２８は、ＤＣモーターファン６のローターの位置を検出し、ＣＰＵ１９に信号を送る。そしてこのローター位置検出部からの信号をＣＰＵ１９の内部のローター位置判定処理部２４を介し、脱調（３相電圧生成部１６の駆動出力とＤＣモーターファン６の検出出力に差異を生じること）状態であるかどうかを処理・判定・制御部２７にて判定し、異常判断出力処理部２６に信号出力を行う。そして、異常判断出力処理部２６からの信号で異常接点出力回路部２９のリレーの接点を閉じ、ＬＥＤで構成された異常ランプ２ｄを点灯表示させるのである。
　【００２２】従って、従来のように異常による温度上昇ではなく、運転中のＤＣモーターファン６の回転異常が起きた場合に、異常ランプ２ｄが点灯するため、従来のようなタイムラグもなく、速やかな警告が可能となる。
　【００２３】以上説明したように、ＤＣモーターファンでは周波数などの変動要素がなく、ＤＣ基板上の制御回路でモーターの回転数をチェックすることにより、複数台のうち１台が停止しても、異常の検出が容易に可能となる。
　【００２４】このことは特に単一の本体に複数のモーターファンが連なって装着された場合に、異常を来たしているモーター周囲にも他のモーターファンが作り出す気流が流れ、温度変化が緩和されるため、長時間に亘り異常検出がなされないといった課題をも解決し得るものである。
　【００２５】
　【発明の効果】本発明は上述のように、交流電源を直流電源に変換する整流回路および制御回路を備えたＤＣ基板と、該ＤＣ基板に接続された直流用のＤＣモーターファンを備え、
回転数指示ボリュームを操作し、フィルタ下流側の風速を調整し、ＤＣ―ＤＣコンバーター部のフィードバック制御により、風速の調整後は電圧の変動および周波数の変動があっても一定の風速を維持することができる。また、
クリーンルームに使用されるＤＣモーターファン搭載ファンフィルタユニットとして最適である。
【図面の簡単な説明】
　【図１】本発明
クリーンルームに使用される
　【図２】本発明
クリーンルームに使用される
　【図３】本発明
クリーンルームに使用される
　【符号の説明】
　２ｂ　
回転数指示